(57)【要約】【課題】保護性、緩衝性、利便性及び集約性に配慮した薄型テレビディスプレイ枠の集合包装箱であり、包装箱内に収納したディスプレイ枠に損傷や擦り傷が発生せず、ディスプレイ枠の梱包作業を簡単にし、集合包装箱の再利用の可能な通い箱化を図ることができ、さらには樹脂製若しくは発泡製袋の廃棄を削減し、再資源化が図れるようにしたディスプレイ枠の集合包装箱を提供する。【解決手段】上面が開口した箱形状を成す内枠２の対向せる夫々の上辺に所定間隔をあけて複数の凹溝３ａ、３ｂ…が形成され、これらの対向せる凹溝ごとに長尺の支持板４の両端近傍に形成された凹部５ａ、５ｂを嵌合することにより複数の支持板４、４…を内枠２内の上部に並設するものとし、夫々の支持板４に収納シート６が内枠２の底部から離間した宙吊りの状態で固定され、収納シート６の波形状の各谷間７を収納スペースとして製品１２を収納する。【選択図】図４
2008087805.tif 000002
【特許請求の範囲】
【請求項１】
上面が開口した箱形状を成す内枠の対向せる夫々の上辺に所定間隔をあけて複数の凹溝が形成され、これらの対向せる凹溝ごとに長尺の支持板の両端近傍に形成された凹部を嵌合することにより複数の支持板を前記内枠内の上部に並設し、夫々の支持板に収納シートが前記内枠の底部から離間した宙吊りの状態で固定され、前記収納シートの波形状の各谷間を収納スペースとして製品を収納することを特徴とする集合包装箱。
【請求項２】
前記内枠はコ字形を成す２個の３面体の互いの内側を向き合わせることによって四面を成す箱形状としたことを特徴とする請求項１記載の集合包装箱。
【請求項３】
前記内枠は外箱に収納されるものとし、前記内枠における前記凹溝が形成された外側面に前記支持板の凹部から端部側へ突出する長さよりも大なる厚さのスペーサが介在されていることを特徴とする請求項１又は２記載の集合包装箱。
【請求項４】
前記内枠は外箱に収納され、前記内枠における前記凹溝が形成されない外側面には薄厚のスペーサが介在されていることを特徴とする請求項１、２又は３記載の集合包装箱。
【発明の詳細な説明】
【技術分野】
【０００１】
本発明は、薄型テレビ等に使用する複数のディスプレイ枠等を収納する集合包装箱に関する。
【背景技術】
【０００２】
近年、ハイビジョン映像を含めたデジタル放送に対応し得る薄型テレビの開発及び製造が急増している。そのようなディスプレイを保護する部材としてディスプレイ枠が使用されている。このディスプレイ枠は樹脂成形され、組み立て後に個々の包装仕様がなされるが、その間の包装箱としては、プラスチック製及びダンボール製の包装箱が一般的に使用されている。
【０００３】
ところで、このような従来の包装箱は、その内部がダンボール製若しくはプラスチック樹脂製材料の仕切り板で複数に仕切られ、夫々の仕切り間にディスプレイ枠を収納するため、ディスプレイ枠を保護する目的で、包装箱の下部に緩衝性のある材料が施され、また包装箱の上部にも下部同様の緩衝材料が施され、さらにディスプレイ枠の表面にはキズの発生を防止するため、フィルム製の保護シールが施されるというように、種々の保護手段が必要とされていた。
【０００４】
さらに、上記のディスプレイ枠の包装箱に関しては、次のような問題があった。
【０００５】
包装箱としてプラスチック製や段ボール製のものが使用されているが、ディスプレイ枠はたわみやすく、強度、特に表面及び角部が輸送、荷扱い、保管時において擦れキズや外的緩衝による破損を受け易い。
【０００６】
また、テレビのインチサイズの違いにより、その種類の増加に伴って包装箱の種類もまた増加しているのが現状であり、夫々十分に耐え得る包装材料を選択する必要があるため、通常の包装箱に比べて余分な材料を必要とする。
【０００７】
また、仕切り板を個々に組み立てる作業が極めて面倒であり、多くの労力を必要とする。さらに、ディスプレイ枠を収納している樹脂製若しくは発泡製の袋は、組み立て後において不必要となり、廃棄が必要となる。また、多数のディスプレイ枠を収納する集合包装箱は、通い箱化された仕様になっておらず、一回限りで廃棄が必要となる。
【０００８】
このような問題点を解消するために開発された従来技術として、特許文献１を参照すると、この文献の梱包箱は、例えばポータブルコンピュータの外観を特徴付けるような筐体のように、損傷やキズの発生を防止する必要がある製品の保護のためになされたものである。その構成は、少なくとも一つの製品が収納される箱体と、この箱体の底壁と筐体との間に介在され、筐体の下部に敷かれる所定の厚みを有する平板状のスペーサとを備えた構成を有する。
【０００９】
従って、この文献の梱包箱においても、製品の損傷やキズの発生を防止するために、箱体の底壁と筐体との間に介在され、筐体の下に敷かれるスペーサを必要とし、そのための製造の手間、製造コストの高騰、筐体の内部に付設する労力等は、上記した従来の包装箱と同様に未解決である。
【特許文献１】特開２００１−２０６４３２号公報
【発明の開示】
【発明が解決しようとする課題】
【００１０】
本発明は、上記の事情に鑑みてなされたものであり、保護性、緩衝性、利便性及び集約性に配慮した薄型テレビディスプレイ枠の集合包装箱であり、包装箱内に収納したディスプレイ枠に損傷や擦り傷が発生せず、ディスプレイ枠の梱包作業を簡単にし、集合包装箱の再利用の可能な通い箱化を図ることができ、さらには樹脂製若しくは発泡製袋の廃棄を削減し、再資源化が図れるようにした集合包装箱を提供することを目的とする。
【課題を解決するための手段】
【００１１】
上記の問題を解決するために、本発明における請求項１の集合包装箱は、上面が開口した箱形状を成す内枠の対向せる夫々の上辺に所定間隔をあけて複数の凹溝が形成され、これらの対向せる凹溝ごとに長尺の支持板の両端近傍に形成された凹部を嵌合することにより複数の支持板を前記内枠内の上部に並設し、夫々の支持板に収納シートが前記内枠の底部から離間した宙吊りの状態で固定され、前記収納シートの波形状の各谷間を収納スペースとして製品を収納することを特徴とする。
【００１２】
また、本発明の請求項２に記載の集合包装箱は、請求項１において、前記内枠はコ字形を成す２個の３面体の互いの内側を向き合わせることによって四面を成す箱形状としたことを特徴とする。
【００１３】
また、本発明の請求項３に記載の集合包装箱は、請求項１又は２において、前記内枠は外箱に収納されるものとし、前記内枠における前記凹溝が形成された外側面に前記支持板の凹部から端部側へ突出する長さよりも大なる厚さのスペーサが介在されていることを特徴とする。
【００１４】
さらに、本発明の請求項４に記載の集合包装箱は、請求項１、２又は３において、前記内枠は外箱に収納され、前記内枠における前記凹溝が形成されない外側面には薄厚のスペーサが介在されていることを特徴とする。
【発明の効果】
【００１５】
本発明の集合包装箱は、内枠内に並設された収納シートは内枠の底部から離間した宙吊りの状態で固定され、収納シートの波形状の各谷間を収納スペースとして使用するようにしたものであり、各谷間に収納された夫々の製品は振り子のように振れるが、収納シートは緩衝性材料から構成されているため、谷間内の製品は損傷や擦れキズ等から保護されるものである。
【００１６】
従って、本発明によれば、多数の薄型テレビのディスプレイ枠を従来の樹脂製又は発泡製等の袋を使用することなく、梱包作業を簡便にすると共に、損傷や擦れキズ等から保護された状態で箱内に収納することができ、外的衝撃、又は輸送中等における製品の破損防止にも寄与することができる。
【００１７】
さらに、波形状の収納シートはアコーディオン状に畳めることができ、保管スペースの削減にも有益となる。
【００１８】
また、本発明の集合包装箱は、再利用や集約化が可能であり、通い箱として、１０数回以上の繰り返し使用を可能とすることができる。
【発明を実施するための最良の形態】
【００１９】
以下、本発明の実施例について図面を参照しながら説明する。
【実施例１】
【００２０】
本発明による集合包装箱１は、図１に示すように、上面が開口した箱形状を成す内枠２の対向せる夫々の上辺に所定間隔をあけて複数の凹溝３ａ、３ｂ…が形成され、これらの対向せる凹溝（例えば対向する凹溝３ａ、３ａ）に長尺の支持板４の両端近傍に形成された凹部５ａ、５ｂを嵌合することにより複数の支持板４、４…を内枠２内の上部に並設し、夫々の支持板４に波形状の収納シート６が内枠２の底部から離間した宙吊りの状態（図４参照）で固定され、収納シート６の波形状の各谷間７、７…を収納スペースとして製品を収納するようにしたものである。なお、内枠２の上辺に形成した凹溝３ａ、３ｂ…の裂け防止のために、凹溝３ａ、３ｂ…の周辺箇所にシクラ（登録商標）等の合成紙を貼り付けるようにしてもよい。
【００２１】
このような集合包装箱１の構成について詳細に述べると、図１に示す集合包装箱１は、外箱８と、外箱８に収納する内枠２と、内枠２に収納する波形状の収納シート６から構成されている。外箱８は既存の段ボール製箱形状を使用してもよく、開閉蓋８ａを備え、開閉蓋８ａを開けることよって上面を開口し、その上方から内枠２を挿入することによって、図６に示すように、内枠２が外箱８内に収納される。
【００２２】
上記の内枠２の具体例としては、図２に示すように、コ字形を成す３面体９に形成し、２個の３面体９、９を用いて互いの内側を向き合わせることにより、包囲した四面を成す箱形状が形成される。また、このような内枠２の構成によって、該内枠２は上面が開口すると共に、底面もまた開いた状態となる。さらに、この内枠２には、クッション性を有する天板と底板を設けるようにしてもよい。
【００２３】
この内枠２の対向せる夫々の上辺には、所定間隔をあけて複数の凹溝３、３…が形成されている。また、支持板４は、プラスチック製ボード、チップボード、プラスチック製ダンボール（ダンプラ（商標名））等を使用して、図３（ａ）に示すように長尺の長方形状に形成され、その両端近傍に、上記の内枠２の上辺に形成された凹溝３ａ、３ｂ…に嵌合し得る凹部５ａ、５ｂが形成されている。このような支持板４を用いて、図１に示すように、内枠２の対向せる凹溝３ａ、３ｂ…ごとに支持板４の両側の凹部５ａ、５ｂを嵌合することにより、複数の支持板４、４…を内枠２の上部に並設することができる。
【００２４】
また、夫々の支持板４には長尺の収納シート６が波形状をなして設けられている。この収納シート６は、図３(ｂ)（この図は波形状の収納シート６に支持板４を固定する前の状況を示す）に示すように、緩衝性の高い包装材料を用いた長尺の合成樹脂製シートや不織布等を波形状に折曲すると共に、収納シート６の両端と上側にて折曲された部位の内側に上記の支持板４、４…を接着剤等で固定することにより、図２に示すような収納シート６が形成される。この波形状の収納シート６はアコーディオン状に薄型に畳むことができる。
【００２５】
なお、図２には２つの収納シート６、６を内枠２内に設けるようにしてあるが、これは規定長さの合成樹脂シートや不織布等を用いて１つの収納シートを作成し、図示の内枠２の容量に対して２つの収納シート６、６を並設するようにしたものである。この場合、図２に示すように、並設した２つの収納シート６、６において隣接する２つの支持板４Ａ、４Ｂを合致して１つの内枠２の凹溝３Ａに嵌合する（図４参照）ことができるように、内枠２の上辺の中央の凹溝３Ａを他の凹溝３ａ、３ｂ…の２倍の幅広としている。
【００２６】
上記の収納シート６の夫々の支持板４の凹部５ａ、５ｂを、図１又は図６に示すように内枠２の対向せる凹溝３ａ・３ａ、３ｂ・３ｂ…に嵌合すると、図５に示すように各支持板４の端部が内枠２の外方へ突出する突出片４ａ、４ｂができる。この両側の突出片４ａ、４ｂは凹部５ａ、５ｂの形成部位で破損し易いものとなるが、この破損を防止するために、内枠２における凹溝３ａ、３ｂ…が形成された外側面に支持板４の凹部５ａ、５ｂから端部側へ突出する長さよりも大なる厚さのスペーサ１０が固定されている。このため、内枠２を外箱８内に収納した場合でも、各支持板４の突出片４ａ、４ｂは、スペーサ１０で保護され、突出片４ａ、４ｂの破損から防止される。
【００２７】
また、図４に示すように、内枠２における凹溝３ａ、３ｂ…が形成されない外側面には薄厚のスペーサ１１、１１…が固定されている。このスペーサ１１を薄厚としたのは、スペーサ１１と外箱８の内側との間に隙間１４を作り、内枠２の３面体９の両側の可動面２ａ、２ｂに撓みを生じさせることによって、上記の収納シート６の各谷間７に収納した製品１２が振り子状に揺れた場合でも、内枠２の可動面２ａ、２ｂが外側に撓んで、製品への衝撃を吸収できるようにしたものである。なお上記のスペーサ１０及びスペーサ１１は、粗目の積層段ボール等を利用して作成するとよい。
【００２８】
上記の構成による集合包装箱１においては、図４に示すように、内枠２内に並設された収納シート６は内枠２の底部から離間した宙吊りの状態で固定され、収納シート６の波形状の各谷間７、７…を収納スペースとして、各谷間７、７…に製品１２を上方から差し込むように収納すると、夫々の谷間７、７…間に隙間１３ができ、各谷間７、７…に収納された夫々の製品１２が振り子のように振れるが、収納シート６は緩衝性材料から構成されているため、谷間７内の製品は損傷や擦れキズ等から保護される。
【産業上の利用可能性】
【００２９】
本発明の集合包装箱は、包装箱内に収納したディスプレイ枠に損傷や擦り傷が発生せず、ディスプレイ枠の梱包作業を簡単にし、集合包装箱の再利用の可能な通い箱化を図ることができ、さらに樹脂製若しくは発泡製袋の廃棄を削減し、再資源化が図れるようにした集合包装箱として利用可能である。
【図面の簡単な説明】
【００３０】
【図１】本発明による集合包装箱の外箱と内枠と収納シートを分解した斜視図である。
【図２】本発明による集合包装箱の内枠と収納シートを分解した斜視図である。
【図３】(ａ)は本発明に係る支持板の平面図、(ｂ)は収納シートの分解側面図である。
【図４】本発明による集合包装箱の短辺側の内部を示す断面図である。
【図５】本発明による集合包装箱の長辺側の内部を示す断面図である。
【図６】本発明による集合包装箱の外箱の開閉蓋を開いて内枠を示した斜視図である。
【符号の説明】
【００３１】
１  集合包装箱
２  内枠
２ａ  可動面
３ａ、３ｂ  凹溝
４  支持板
５ａ、５ｂ  凹部
６  収納シート
７  谷間
８  外箱
８ａ  開閉蓋
９  ３面体
４Ａ、４Ｂ  支持板
３Ａ  凹溝
１０  スペーサ
１１  スペーサ
１２  製品
１３  隙間
１４  隙間
【図１】
2008087805.tif 000003
【図２】
2008087805.tif 000004
【図３】
2008087805.tif 000005
【図４】
2008087805.tif 000006
【図５】
2008087805.tif 000007
【図６】
2008087805.tif 000008